(57)【要約】【課題】使用者の望みを満足した物品収納箱とする。【解決手段】周面壁３ａと底面壁３ｂで上面が開口した箱本体３を有した箱体１と、この周面壁３ａに着脱自在に取り付けた補助部品２を備えた物品収容箱で、使用者の望みを満足する補助部品２を取り付けることで、使用者の望みを満足した物品収容箱とすることができる。【選択図】図１
0003164754.tif 000002
【実用新案登録請求の範囲】
【請求項１】
箱体１の表面に被取付部材５を備え、使用者の望みに応じた補助部品２は取付部材６を備え、前記箱体１の表面の被取付部材５と補助部品２の取付部材６を着脱可能とし、補助部品２を箱体１の表面に着脱自在に取り付けたことを特徴とする物品収容箱。
【請求項２】
前記箱体１は、周面壁３ａと底面壁３ｂで上面が開口した箱形状の箱本体３を有し、
前記箱本体３の周面壁３ａは被取付部材５を備え、前記補助部品２は、前記被取付部材５に係脱自在な取付部材６を有している請求項１記載の物品収容箱。
【請求項３】
前記箱本体３は、骨組体３４と、その骨組体３４の側面枠部３１に取り付けた側面板３５と、前記骨組体３４の底面枠部３２に取り付けた底面板３６で上面が開口した箱形状で、
前記側面板３５の全面に、面ファスナーの雄部材が係脱するシート状物を設けて被取付部材５とし、
前記補助部品２に面ファスナーの雄部材を設けて取付部材６とした請求項２記載の物品収容箱。
【考案の詳細な説明】
【技術分野】
【０００１】
本考案は、物品を収容して搬送する物品搬送用箱や物品を収容して保管する物品保管用箱等の物品収容箱に関する。
【背景技術】
【０００２】
従来、物品を収容する箱としては、特許文献１に開示したように、アルミニウム部材で箱状の骨組を形成し、その骨組の内側、外側に合成樹脂ダンプレートを設置した箱、特許文献２に開示したように、底部と前後左右の側部と上蓋部で箱形状とし、その側部のつなぎ目にスライドファスナーを用いることで開閉できるようにした箱などが知られている。
前述した特許文献１に開示した箱であれば、耐久性を確保しながら軽量化を図ることができる。
前述した特許文献２に開示した箱であれば、側部を開放し、その側部から物品を収容したり、取り出すことができる。
【先行技術文献】
【特許文献】
【０００３】
【特許文献１】実開平２−１６２８号公報
【特許文献２】特開２００９−２９８４３３号公報
【考案の概要】
【考案が解決しようとする課題】
【０００４】
近年、宅配業者や郵便業者などは、物品収容箱に配送物、郵便物を収容し、その物品収容箱を移動することで目的地まで搬送し、配送物、郵便物を物品収容箱から取り出して受取人に届けることが行われている。
このように、物品収容箱を実使用する際には、その使用者によって使用の仕方が異なるし、使用者の望む機能や外観のデザイン等が異なることがある。
【０００５】
しかしながら、前述した従来の箱は耐久性、軽量化や組立性を向上することを目的とした箱で、前述した使用者の使い勝手、機能、外観のデザイン等の望みについては全く考慮されていない。
したがって、前述した使用者の望みを満足した物品収容箱とするためには、非常に数多くの異なる物品収容箱を製作して準備しなければならず、コストが高く実用的ではない。
【０００６】
本考案は、使用者の望みを満足できる安価な物品収容箱とすることである。
【課題を解決するための手段】
【０００７】
本考案は、箱体１の表面に被取付部材５を備え、使用者の望みに応じた補助部品２は取付部材６を備え、前記箱体１の表面の被取付部材５と補助部品２の取付部材６を着脱可能とし、補助部品２を箱体１の表面に着脱自在に取り付けたことを特徴とする物品収容箱である。
【０００８】
本考案は、前記箱体１は、周面壁３ａと底面壁３ｂで上面が開口した箱形状の箱本体３を有し、
前記箱本体３の周面壁３ａは被取付部材５を備え、前記補助部品２は、前記被取付部材５に係脱自在な取付部材６を有している物品収容箱とすることができる。
【０００９】
このようにすれば、取付部材６を被取付部材５に係合することで、補助部品２を取り付けでき、取付部材６を引張って被取付部材５から離脱することで補助部品２を取り外しできる。
【００１０】
本考案は、前記箱本体３は、骨組体３４と、その骨組体３４の側面枠部３１に取り付けた側面板３５と、前記骨組体３４の底面枠部３２に取り付けた底面板３６で上面が開口した箱形状で、
前記側面板３５の全面に、面ファスナーの雄部材が係脱するシート状物を設けて被取付部材５とし、
前記補助部品２に面ファスナーの雄部材を設けて取付部材６とした物品収容箱とすることができる。
【００１１】
このようにすれば、補助部品２を側面板３５の全面に取り付けしたり、一部分に取り付けしたり、複数の補助部品２を取り付けることができる。
【考案の効果】
【００１２】
本考案によれば、箱体１を共通とし、使用者の望みに応じた補助部品２を取り付けることで、使用者の望みを満足した物品収容箱とすることができる。
したがって、使用者の望みを満足できる安価な物品収容箱である。
【図面の簡単な説明】
【００１３】
【図１】本考案の物品収容箱の一例を示す分解した斜視図である。
【図２】図１のＡ−Ａ拡大断面図である。
【図３】被覆取付部材と取付部材の他の例を示す分解した斜視図である。
【図４】図３のＢ−Ｂ断面図である。
【図５】スナップ釦の断面図である。
【図６】補助部品の一例を示す正面図である。
【図７】補助部品の一例を示す正面図である。
【図８】補助部品の一例を示す正面図である。
【考案を実施するための形態】
【００１４】
図１に示すように、箱体１と、その箱体１の表面に着脱自在に取り付けた補助部品２で物品収容箱としてある。
前記箱体１は箱本体３と蓋体４を備えている。
前記箱本体３は、周面壁３ａと底面壁３ｂで上面が開口した箱形状である。
前記蓋体４は箱本体３に、その上面の開口部３ｃを開閉自在に取り付けられる。例えば、周面壁３ａの上部に嵌め込むようにして着脱自在に取り付けたり、ヒンジで開閉自在に取り付けられる。なお、蓋体４はなくとも良く、その場合は箱本体３のみで箱体１とする。
【００１５】
前記周面壁３ａの外表面には補助部品２を取り付けるための被取付部材５を備え、補助部品２に設けた取付部材６を、前記被取付部材５に係合することで、周面壁３ａの外表面に補助部品２を着脱自在に取り付けることができるようにしてある。
【００１６】
このようであるから、使用者の望むことを満足できる多数の補助部品２を準備することで、使用者が物品収容箱を使用する際に、望む補助部品２を選択して箱本体３の周面壁３ａに取り付けることで、使用者の望みを満足した物品収容箱とすることができる。
しかも、箱体１は共通であるからコストが安い。
【００１７】
前記箱本体３の周面壁３ａは４つの壁を有した平面矩形状で、箱本体３は平面矩形状で上面が開口した箱形状である。
前記被取付部材５は４つの壁に設けても良いし、いくつかの壁に設けても良く、その被取付部材５は壁の全面に設けても良いし、部分的に設けても良い。
【００１８】
例えば、箱本体３は図１と図２に示すように、複数の枠材３０を、４つの側面枠部３１と１つの底面枠部３２と１つの上面枠部３３を有するように枠組みした骨組体３４を有し、その各側面枠部３１に側面板３５を取り付けて前述の周面壁３ａとし、前記底面枠部３２に底面板３６を取り付けて前述の底面壁３ｂとする。
前記各側面板３５の表面に面ファスナーの雌部材３７を全面に亘って接着、超音波溶着、熱溶着等で取り付けて前述の被取付部材５とする。
前記面ファスナーの雌部材３７は前記各側面板３５の表面の全面に亘って取り付けているが、使用形態によって前記各側面板３５の表面の一部の面に取り付けることもできる。
【００１９】
前記蓋体４は、その下面４０に骨組体３４の上部が嵌まり合う凹部４１を有し、その凹部４１を骨組体３４の上部に嵌め合わせることで取り付けできる。
なお、蓋体４はヒンジで骨組体３４の上部に開閉自在に取り付けることができる。この場合、ヒンジとしては蝶番などを用いても良いし、ファスナーやボタン付きストラップをヒンジとして用いることもできる。
【００２０】
前記補助部品２は、基板２０にポケット部２１を設けており、その基板２０に面ファスナーの雄部材２２を取り付けて前述の取付部材６としてある。
前記雄部材２２を雌部材３７に係合することで補助部品２を取り付けできる。
また、補助部品２を強い力で引張ることで雄部材２２を雌部材３７から離脱することで補助部品２を取り外すことができる。
【００２１】
前述のように、ポケット部２１を有した補助部品２を取り付けることで、そのポケット部２に配送用の伝票や、使用者個人の小物などを入れることができ、便利である。
【００２２】
前記被取付部材５を不織布などの面ファスナーの雄部材が係合するシート状物としても良い。
前記側面板３５の表面に取り付けたシート状物は、前記側面板３５の表面の全面に亘って取り付けることが望ましいが、前記側面板３５の表面の一部の面に取り付けても良い。
また、被取付部材５を面ファスナーの雄部材、取付部材６を面ファスナーの雌部材としても良い。
前記被取付部材５、取付部材６は面ファスナーに限ることはなく、係脱できるものであれば良い。
【００２３】
例えば、図３〜図５に示すように、スナップ釦の雄部材４０と雌部材４１とし、雄部材４０と雌部材４１の一方を被取付部材５、他方を取付部材６とする。
図３に示すように、前記箱本体３の側面板３５にスナップ釦の雌部材４１を、適宜の間隔を置いて取り付けて被取付部材５とする。
補助部品２の基板２０にスナップ釦の雄部材４０を、前記雌部材４１と合致するように位置合わせして複数取り付ける。
前記スナップ釦の雌部材４１は図５に示すように凹部４２を有し、雄部材４０が凹部４２に係脱するようにしてある。
この雄部材４０、雌部材４１は前述の面ファスナーと同様に、接着、超音波溶着、熱溶着等で取り付ける。
これにより、補助部品２を側面板３５の好きな位置に着脱可能とすることができる。
【００２４】
または、スライドファスナーとし、一方のファスナーストリンガーを周面壁に取り付けて被取付部材とし、他方のファスナーストリンガーを補助部品に取り付けて取付部材とする。
または、フックとフック係合穴とし、フックを周面壁３ａに取り付けて被取付部材５とし、補助部品２にフック係合穴を形成して取付部材６とする。
または、相互に係合する係合受材と係合材とし、係合受材を周面壁３ａに取り付けて被取付部材５とし、補助部品２に係合材を取り付けて取付部材６とする。
または、紐とフックとし、紐を周面壁３ａに横向き取り付けて被取付部材５とし、補助部品２にフックを取り付けて取付部材６とし、そのフックを紐に引掛けて取り付ける。
【００２５】
前記箱本体３は、平面短形状に限ることはなく、平面多角形状、平面円形状、平面長円形状など、その箱本体３の平面形状は任意なものにできる。
前記箱本体３は、骨組体にシート状材を取り付けたものとしても良いし、骨組体を用いずに側面板、底面板を連結したものとしても良い。
前記箱本体３の材質は、金属、樹脂、布など用途に応じて任意に選択することができる。
【００２６】
前記蓋体４は、金属や樹脂などで前述のように作製することができるが、この蓋体４をシート状とし、箱本体３の上部を覆うようにしたり、箱本体３内に収容した物品を覆うようにすることができる。
【００２７】
本発明の物品収容箱を搬送するには、箱本体３に車輪を取り付けて走行可能としたり、台車に設けて走行できるようにすれば良い。
【００２８】
前述の補助部品２はポケット部２１を有したものに限ることはなく、物品収容箱を実使用する使用者の使用の仕方に合致して使い勝手を良くするもの、使用者の望む機能を発揮するもの、物品収容箱の外観のデザインを変えるもの等、使用者の望みを満足するものである。
そして、前記補助部品２は、１つに限らず複数の補助部品２を取り付けるようにしても良い。
【００２９】
例えば、図６に示すように、飲料用ボトルａを収容可能なポケット部２１ａを有したドリンクホルダーの機能を有した補助部品２、ファスナーで開閉されると共に、透明部２３を有し、伝票や筆記具などを入れる小さなファスナーポケットの補助部品２、ファスナー２４で開閉され、使用者の荷物、私物などを入れる大きなファスナーポケットの補助部品２を、１つの壁面に配列して取り付ける。
【００３０】
図７に示すように、メッシュ状シート２５を用いたポケット部２１ｃを有した補助部品２、ほうきｂを入れるポケット部２１ｄ、ちりとりｃを入れるポケット部２１ｅを有した補助部品２を１つの壁面に並列して取り付ける。
このようにすれば、ポケット部に花束などを包むロール紙などを入れ、ほうきｂとちりとりｃで花束を作る際に出るごみの片付けができるから、花を収容する物品収容箱として好ましい。
【００３１】
図８に示すように、霧吹きやリボンなどをかける引掛け部２６を有した補助部品２、開閉自在な容器を有し、その蓋２７を開放することで簡易な台として利用できる補助部品２、木目調などの化粧パネル２８を有した補助部品２を１つの壁面に配列して取り付ける。
【００３２】
前記補助部品２としては、図示は省略するが黒板パネル、雨具収容部を有したもの、１つの壁面の全面に取り付ける大きな化粧パネル、物品収容箱の使用形態を模式的に図示したパネルなどがある。
【符号の説明】
【００３３】
１…箱体、２…補助部品、３…箱本体、３ａ…周面壁、３ｂ…底面壁、４…蓋体、５…被取付部、６…取付部。
【図１】
0003164754.tif 000003
【図２】
0003164754.tif 000004
【図３】
0003164754.tif 000005
【図４】
0003164754.tif 000006
【図５】
0003164754.tif 000007
【図６】
0003164754.tif 000008
【図７】
0003164754.tif 000009
【図８】
0003164754.tif 000010